(57)【要約】【課題】  ユーザが作業終了時に操作する電源スイッチがオフとなった時に、保留されているジョブがあるか否かを確認し、保留されたジョブが無い場合には、電源装置をオフとし、保留されているジョブがある場合には、保留されているジョブを実行するか否かの選択をユーザに促す表示を操作表示手段に出力して、ユーザの選択結果に対応して電源装置のオンオフを制御する画像形成装置、及び、画像形成装置の制御方法を提供すること。【解決手段】  商用電源と電源装置との間に設けた第１の電源スイッチと、前記電源装置から前記各負荷に供給する電力のオンオフを指示する指示情報を制御手段に送る第２の電源スイッチとを有する画像形成装置であって、前記制御手段は、前記第２の電源スイッチが電力をオフする指示情報を出力した時に、保留されているジョブがあるか否かを確認して、電源装置のオンオフの制御を行うことを特徴とする画像形成装置の実現。【選択図】        図５
2006142551.tif 000002
【特許請求の範囲】
【請求項１】
複数のジョブをジョブファイルに予約する設定、及び、指定したジョブの実行を保留ジョブファイルに保留する設定ができる操作表示手段と、
商用電源から受電して各負荷に所定の仕様の電力を供給する電源装置であって、各負荷への電力供給のオンオフを制御する電源制御手段を備えた電源装置と、
商用電源と前記電源装置との間に設けた第１の電源スイッチと、
前記電源装置から前記各負荷に供給する電力のオンオフを指示する第１の指示情報を、前記電源制御手段に送る制御手段と、
前記電源装置から前記各負荷に供給する電力のオンオフを指示する第２の指示情報を、前記制御手段に送る第２の電源スイッチと、
を有する画像形成装置において、
前記第２の電源スイッチが電力をオフする第２の指示情報を出力した時に、
前記制御手段は、
保留ジョブファイルに保留されているジョブがあるか否かを判定して、
保留されたジョブが無い場合には、前記電源装置から前記各負荷に供給する電力をオフとする第１の指示情報を前記電源制御手段に送り、
保留されているジョブがある場合には、
オン状態を継続する第１の指示情報を前記電源制御手段に送る
ことを特徴とする画像形成装置。
【請求項２】
前記制御手段は、
前記オン状態を継続する第１の指示情報を前記電源制御手段に送ると共に、
保留されているジョブがあることをユーザに知らせる表示と、
保留されているジョブを実行するか否かの選択をユーザに促す表示と
を前記操作表示手段に出力することを特徴とする請求項１に記載の画像形成装置。
【請求項３】
前記制御手段は、
保留されているジョブの実行が選択された場合には、第２の電源スイッチが、オフからオンに切換られたことを確認して、前記操作表示手段の表示を第２の電源スイッチが、オンからオフに切換られた直前の状態に復帰させ、
保留されているジョブを実行しない選択がされた場合には、前記操作表示手段により入力された確認情報を確認して、前記各負荷に供給する電力をオフにする第１の指示情報を前記電源制御手段に送ることを特徴とする請求項２に記載の画像形成装置。
【請求項４】
複数のジョブをジョブファイルに予約する設定、及び、指定したジョブの実行を保留ジョブファイルに保留する設定ができる操作表示手段と、
商用電源から受電して各負荷に所定の仕様の電力を供給する電源装置であって、各負荷への電力供給のオンオフを制御する電源制御手段を備えた電源装置と、
商用電源と前記電源装置との間に設けた第１の電源スイッチと、
前記電源装置から前記各負荷に供給する電力のオンオフを指示する第１の指示情報を、前記電源制御手段に送る制御手段と、
前記電源装置から前記各負荷に供給する電力のオンオフを指示する第２の指示情報を、前記制御手段に送る第２の電源スイッチと、
を有する画像形成装置の制御方法において、
前記第２の電源スイッチが電力をオフする第２の指示情報を出力した時に、
保留ジョブファイルに保留されているジョブがあるか否かを判定して、
保留されたジョブが無い場合には、前記電源装置から前記各負荷に供給する電力をオフとする第１の指示情報を前記電源制御手段に送り、
保留されているジョブがある場合には、
オン状態を継続する第１の指示情報を前記電源制御手段に送るように制御する
ことを特徴とする画像形成装置の制御方法。
【請求項５】
前記オン状態を継続する第１の指示情報を前記電源制御手段に送ると共に、
保留されているジョブがあることをユーザに知らせる表示と、
保留されているジョブを実行するか否かの選択をユーザに促す表示と
を前記操作表示手段に出力するように制御する
ことを特徴とする請求項４に記載の画像形成装置の制御方法。
【請求項６】
保留されているジョブの実行が選択された場合には、第２の電源スイッチが、オフからオンに切換られたことを確認して、前記操作表示手段の表示を第２の電源スイッチが、オンからオフに切換られた直前の状態に復帰させ、
保留されているジョブを実行しない選択がなされた場合には、前記操作表示手段により入力された確認情報を確認して、前記各負荷に供給する電力をオフにする第１の指示情報を前記電源制御手段に送るように制御する
ことを特徴とする請求項５に記載の画像形成装置の制御方法。
【発明の詳細な説明】
【技術分野】
【０００１】
本発明は、複写機、プリンタ、ファクシミリ等の画像形成装置の電源制御に関わる。
【背景技術】
【０００２】
複写機、プリンタ、ファクシミリ等の画像形成装置を使用する際には、建物に設けられた商用電源の供給口であるコンセントに、画像形成装置の電源コードの一端にあるプラグを差し込み受電をする。受電された電力は、通常、電力用のコネクタと、電源スイッチを介して画像形成装置の電源装置に供給される。
【０００３】
電源装置は、商用電源から受けた電力に、画像形成装置の有する各種の電気的負荷に適合させるための変換、例えば、電圧変換、交流直流変換、定電圧化等を施して、各負荷に電力を供給する。
【０００４】
従って、このような電源装置には各負荷に電力を供給するための複数の電力供給口が設けられる、また、各負荷に供給する電力のオンオフを外部から送られる指示情報に従って個別に行うための電源制御手段も設けられる。
【０００５】
画像形成装置には、商用電源と画像形成装置の電源装置との間に、電気的な通電遮断（オンオフ）をする第１の電源スイッチが設けられており、この第１の電源スイッチがオフの時には、画像形成装置に供給する電力はゼロとなり、電気的な動作は全て停止状態となる。
【０００６】
このような第１の電源スイッチのみで、画像形成装置のオンオフをするように構成すると、オフのときにはあらゆる制御が停止され、外部の装置との情報交換もできない状態となる。また、画像形成装置を使用するときに電源スイッチをオンにしても、長いウオームアップ時間と初期設定のための時間とが必要となる。
【０００７】
このような不都合を回避するために、第２の電源スイッチを設け、ユーザが画像形成装置による作業を終え、長時間を使用しないときには、この第２の電源スイッチをオフにすることが一般的に行われている。この場合、第２のスイッチがオフとなっても、制御手段の所定の動作に関わる部分には電力が供給されるように構成して、最小限の電力にて、必要とする管理のための制御、及び、外部の装置との情報交換を可能にしている。
【０００８】
一方、最近の画像形成装置には、ユーザが画像形成装置の操作表示手段を用いて、予め、複数のジョブの予約設定を行うことが可能で、予約したジョブを順次実行する機能を有するものが多く見られるようになった。
【０００９】
しかしながら、予約されたジョブの中には、例えば、そのジョブの実行に必要なサイズの紙が、その時点では画像形成装置に装填されていなかった場合等のように、実行が困難となるジョブ、あるいは、設定内容を変更する必要があるジョブが存在することもある。このような場合に対応するために、受け付けたジョブを受付順に並べたキューから、ジョブの実行を停止するジョブを指定して、指定したジョブを予め設けた所定のキュー手段に順次蓄積し、実行可能なジョブを順次実行させるという提案もある（例えば、特許文献１参照。）。
【００１０】
ところが、予約されていた全てのジョブが実行されると、ユーザは該画像形成装置に設定した全てのジョブが終了したと判断して、前述の第２の電源スイッチをオフにしてしまう場合がある。この場合に、保留されていたジョブに関わる情報は、第２の電源スイッチのオフと共に消えてしまったり、又は、該ジョブを実行させるためには、再度のウォームアップが必要になることが多い。
【特許文献１】特開平８−２８６８９５号公報（第１頁）
【発明の開示】
【発明が解決しようとする課題】
【００１１】
本発明は、上述したような状況に鑑みてなされたもので、ユーザが作業終了時に操作す
る電源スイッチがオフとなった時に、
保留されているジョブがあるか否かを判定して、
保留されたジョブが無い場合には、電源装置から各負荷に供給する電力をオフとして、
保留されているジョブがある場合には、
保留されているジョブを実行するか否かの選択をユーザに促す表示を操作表示手段に出力して、
ユーザの選択結果に対応して電源装置のオンオフを制御する画像形成装置、及び、画像形成装置の制御方法を提供することにある。
【課題を解決するための手段】
【００１２】
上記課題は、以下の請求項に記載の画像形成装置、及び、画像形成装置の画像形成方法の実現により達成される。
（請求項１）
複数のジョブをジョブファイルに予約する設定、及び、指定したジョブの実行を保留ジョブファイルに保留する設定ができる操作表示手段と、
商用電源から受電して各負荷に所定の仕様の電力を供給する電源装置であって、各負荷への電力供給のオンオフを制御する電源制御手段を備えた電源装置と、
商用電源と前記電源装置との間に設けた第１の電源スイッチと、
前記電源装置から前記各負荷に供給する電力のオンオフを指示する第１の指示情報を、前記電源制御手段に送る制御手段と、
前記電源装置から前記各負荷に供給する電力のオンオフを指示する第２の指示情報を、前記制御手段に送る第２の電源スイッチと、
を有する画像形成装置において、
前記第２の電源スイッチが電力をオフする第２の指示情報を出力した時に、
前記制御手段は、
保留ジョブファイルに保留されているジョブがあるか否かを判定して、
保留されたジョブが無い場合には、前記電源装置から前記各負荷に供給する電力をオフとする第１の指示情報を前記電源制御手段に送り、
保留されているジョブがある場合には、
オン状態を継続する第１の指示情報を前記電源制御手段に送る
ことを特徴とする画像形成装置。
（請求項２）
前記制御手段は、
前記オン状態を継続する第１の指示情報を前記電源制御手段に送ると共に、
保留されているジョブがあることをユーザに知らせる表示と、
保留されているジョブを実行するか否かの選択をユーザに促す表示と
を前記操作表示手段に出力することを特徴とする請求項１に記載の画像形成装置。
（請求項３）
前記制御手段は、
保留されているジョブの実行が選択された場合には、第２の電源スイッチが、オフからオンに切換られたことを確認して、前記操作表示手段の表示を第２の電源スイッチが、オンからオフに切換られた直前の状態に復帰させ、
保留されているジョブを実行しない選択がされた場合には、前記操作表示手段により入力された確認情報を確認して、前記各負荷に供給する電力をオフにする第１の指示情報を前記電源制御手段に送ることを特徴とする請求項２に記載の画像形成装置。
（請求項４）
複数のジョブをジョブファイルに予約する設定、及び、指定したジョブの実行を保留ジョブファイルに保留する設定ができる操作表示手段と、
商用電源から受電して各負荷に所定の仕様の電力を供給する電源装置であって、各負荷への電力供給のオンオフを制御する電源制御手段を備えた電源装置と、
商用電源と前記電源装置との間に設けた第１の電源スイッチと、
前記電源装置から前記各負荷に供給する電力のオンオフを指示する第１の指示情報を、前記電源制御手段に送る制御手段と、
前記電源装置から前記各負荷に供給する電力のオンオフを指示する第２の指示情報を、前記制御手段に送る第２の電源スイッチと、
を有する画像形成装置の制御方法において、
前記第２の電源スイッチが電力をオフする第２の指示情報を出力した時に、
保留ジョブファイルに保留されているジョブがあるか否かを判定して、
保留されたジョブが無い場合には、前記電源装置から前記各負荷に供給する電力をオフとする第１の指示情報を前記電源制御手段に送り、
保留されているジョブがある場合には、
オン状態を継続する第１の指示情報を前記電源制御手段に送るように制御する
ことを特徴とする画像形成装置の制御方法。
（請求項５）
前記オン状態を継続する第１の指示情報を前記電源制御手段に送ると共に、
保留されているジョブがあることをユーザに知らせる表示と、
保留されているジョブを実行するか否かの選択をユーザに促す表示と
を前記操作表示手段に出力するように制御する
ことを特徴とする請求項４に記載の画像形成装置の制御方法。
（請求項６）
保留されているジョブの実行が選択された場合には、第２の電源スイッチが、オフからオンに切換られたことを確認して、前記操作表示手段の表示を第２の電源スイッチが、オンからオフに切換られた直前の状態に復帰させ、
保留されているジョブを実行しない選択がなされた場合には、前記操作表示手段により入力された確認情報を確認して、前記各負荷に供給する電力をオフにする第１の指示情報を前記電源制御手段に送るように制御する
ことを特徴とする請求項５に記載の画像形成装置の制御方法。
【発明の効果】
【００１３】
請求項１に記載の発明によれば、ユーザが、保留されているジョブの存在に気付かずに画像形成装置の電源スイッチをオフにした場合に起こる、保留されているジョブの喪失を防止した画像形成装置が実現される。
【００１４】
請求項２に記載の発明によれば、ユーザが、保留されているジョブの存在に気付かずに画像形成装置の電源スイッチをオフにした場合、保留されているジョブが存在することをユーザに知らせ、保留されていたジョブへの対応をユーザに選択させる画像形成装置が実現される。
【００１５】
請求項３に記載の発明によれば、ユーザが、保留されているジョブの存在に気付かずに画像形成装置の電源スイッチをオフにした場合、保留されているジョブが存在することをユーザに知らせ、保留されていたジョブへの対応をユーザに選択させて、選択された結果に基づき、各負荷に供給する電力をオンオフ制御する画像形成装置が実現される。
【００１６】
請求項４に記載の発明によれば、ユーザが、保留されているジョブの存在に気付かずに画像形成装置の電源スイッチをオフにした場合に起こる、保留されているジョブの喪失を防止した画像形成装置の制御方法が実現される。
【００１７】
請求項５に記載の発明によれば、ユーザが、保留されているジョブの存在に気付かずに画像形成装置の電源スイッチをオフにした場合、保留されているジョブが存在することをユーザに知らせ、保留されていたジョブへの対応をユーザに選択させる画像形成装置の制御方法が実現される。
【００１８】
請求項６に記載の発明によれば、ユーザが、保留されているジョブの存在に気付かずに画像形成装置の電源スイッチをオフにした場合、保留されているジョブが存在することをユーザに知らせ、保留されていたジョブへの対応をユーザに選択させて、選択された結果に基づき、各負荷に供給する電力をオンオフする画像形成装置の制御方法が実現される。
【発明を実施するための最良の形態】
【００１９】
以下、図を基に本発明の説明をする。
【００２０】
図１は、画像形成装置と周辺装置とから構成される画像形成システムの概念図である。
【００２１】
画像形成装置Ａには、周辺装置である自動原稿送り装置ＡＤＦ、大容量給紙トレイＬＣＴ、後処理装置ＦＩＮが接続されている。
【００２２】
自動原稿送り装置ＡＤＦは、原稿載置台２１０に載置された原稿ｄを一枚ずつに分離して原稿搬送路２０１に送り出し、搬送ドラム２０２に巻きかけて搬送する。搬送中の原稿ｄは、搬送ドラム２０２の下方にある原稿読み取り位置１１において原稿読み取り手段１にて原稿画像の読み取りがなされる。読み取りを終えた原稿ｄは、切換機構を持つ第１原稿搬送ガイド２０３と、原稿排紙ローラ２０４により原稿排紙台２０５に排出される。
【００２３】
原稿ｄの両面の画像を読み取る場合には、第１面の原稿画像が読み取られた原稿ｄは第１原稿搬送ガイド２０３と、反転ローラ２０６とにより矢印ａの方向に送り出され、後端を反転ローラ２０６にて挟持された状態で一旦停止する。その後、前記反転ローラ２０６が反転を開始することにより、一旦停止した原稿ｄは、後端を原稿ｄの先端として、また、表裏が反転した状態となって、第１原稿搬送ガイド２０３と、切換機構を有する第２原稿搬送ガイド２０７に導かれて、再度原稿搬送路に送り出される。送り出された原稿ｄは、第２面の原稿画像が読み取られて、第１原稿搬送ガイド２０３と、原稿排紙ローラ２０４により原稿排紙台２０５に排出される。
【００２４】
画像形成装置Ａは、原稿読み取り手段１、画像書き込み手段２、画像形成手段３、定着手段４、反転手段５、再給紙手段６、給紙手段７、操作表示手段８、制御手段Ｃ１等から構成されている。
【００２５】
原稿読み取り手段１は、原稿読み取り位置１１にて自動原稿送り装置ＡＤＦにより搬送されている原稿ｄの原稿面を露光ランプ１２にて照射して、その反射光を第１ミラーユニット１３、第２ミラーユニット１４、結像レンズ１５により、撮像素子ＣＣＤの受光面上に結像させることにより原稿画像の読み取りを行う。
【００２６】
撮像素子ＣＣＤから出力された画像信号は、入力画像処理手段１６にて、Ａ／Ｄ変換され、シェーディング補正、圧縮等の処理がなされて、原稿画像情報として制御手段Ｃ１に送られ、メモリＭに記憶される。
【００２７】
記憶された原稿画像情報は、画像形成装置に、原稿を読み取り、得られた情報を他の装置に転送するスキャナモードが設定されていた時には、通信手段Ｔ１を介してネットワークに送られる画像情報として使用され、原稿からハードコピーを作成するプリントモードが設定されていた時には、ハードコピーを作成するための画像情報として使用される。
【００２８】
画像書き込み手段２は、制御手段Ｃ１のメモリＭから読み出された画像情報をレーザビームにて、回転する画像形成手段３の感光体ドラム３１の表面を走査することにより、潜像を形成させるもので、半導体レーザ、ポリゴンミラー、シリンドリカルレンズ、平面鏡等から構成される公知のものである。
【００２９】
画像形成手段３は、感光体ドラム３１の周辺に配置された、帯電手段３２、現像手段３３、転写分離手段３４、クリーニング手段３５から構成される。帯電手段３２により周面が一様に帯電された感光体ドラム３１は、前記書き込み手段２により潜像形成された後、現像手段３３によって現像される。現像された感光体ドラム３１の周面にはトナー画像が形成され、転写分離手段３４によって、給紙手段７から給送された用紙Ｐに転写される。トナー画像を担持した用紙Ｐは定着手段４に送られ、トナー画像の転写を終えた感光体ドラム３１の表面は、クリーニング手段３５により残留トナーが除去されて、次の画像形成に供される。
【００３０】
定着手段４は、対向して配置された加熱ローラ４１と、加圧ローラ４２とにより画像形成手段３から送られてきた用紙Ｐを、加圧加熱しながら搬送することによりトナー画像を用紙Ｐに定着する。
【００３１】
反転手段５は、定着手段４から送られてきた用紙Ｐを反転ガイド５１、排紙ローラ５４により後処理装置ＦＩＮに送り出す。
【００３２】
用紙Ｐを反転して送る出す場合には、反転ガイド５１を図の点線位置に切り換えて、用紙Ｐを下方に導いた後に、第１反転ローラ５２，第２反転ローラ５３を反転させて、用紙Ｐの後端を先端に変えて排紙ローラ５４に送る。
【００３３】
また、用紙の両面に画像形成を行う、いわゆる両面コピー作業を行う場合には、第１面への画像定着を終えた用紙Ｐを、反転ガイド５１により下方に導いて、後端を第２反転ローラ５３に挟持させた後、これを反転させて再給紙手段６に送り出す。
【００３４】
再給紙手段６は、反転手段５から送られた用紙Ｐを、再度、給紙手段７の給紙搬送手段７４に送り返し、第２面への画像形成に供する。
【００３５】
給紙手段７は、用紙Ｐを収納する給紙トレイ７１、７２、７３、これらのトレイから用紙Ｐを１枚ずつ取り出し給紙ローラ７５まで前記用紙Ｐを搬送する複数のローラと、ガイド部材とからなる給紙搬送手段７４、および給紙ローラ７５から構成される。なお、本実施の形態においては多量の用紙Ｐを積載できる大容量給紙トレイＬＣＴが画像形成装置Ａに連結されている。ここから給送されてきた用紙Ｐは、給紙搬送手段７４によって、他の給紙トレイから給送された場合と同様に給紙ローラ７５まで送られる。
【００３６】
給紙ローラ７５は、給送されてきた用紙Ｐを、搬送曲がりを矯正した後に、感光体ドラム３１のトナー画像位置に合わせて送り出す。
【００３７】
操作表示手段８は、文字や画像を表示する表示手段と、ユーザが指示操作の入力を行うための操作手段とを一つのユニットにまとめたものであり、タッチパネルと押しボタン類から構成される。
【００３８】
後処理装置ＦＩＮは、その上部に、各種の挿入シートＰ２を載置するシート載置台３１０、３１１と、これらのシート載置台３１０、３１１から各処理手段に挿入シートＰ２を送り出す複数のローラとガイド部材からなるシート給送手段３００の一部と、排紙された少量の用紙Ｐを積載する排紙トレイ３９０とが配置され、それらの下方にはシート給送手段３００、穿孔手段３２０、シフト手段３３０、中間スタッカ３６０、ステープラ３４０、折り畳み手段３５０、所定の後処理を施されて出力された多量の用紙Ｐを積載する排紙トレイ３９１、３９２、これらの各手段を制御する制御手段Ｃ３が配置されている。
【００３９】
穿孔手段３２０は、画像形成装置Ａにより画像形成され出力された用紙Ｐ、および、後処理装置ＦＩＮのシート載置台３１０、３１１からシート給送手段３００により給送されてきた挿入シートＰ２にファイリング用の孔をあけるもので、画像形成装置Ａの操作表示手段，もしくは後処理装置Ｆの操作表示手段にて設定された条件に従って、用紙Ｐ、および、挿入シートのサイズに対応した位置に穿孔処理を行う。
【００４０】
シフト手段３３０は、用紙Ｐ、および、挿入シートＰ２を搬送幅方向に、所定の原稿枚数から構成される部毎に排紙位置を変えて排紙する処理ユニットであり、何枚毎にシフトするかは画像形成装置Ａの制御手段Ｃ１から送られた情報、もしくは後処理装置ＦＩＮの操作表示手段３７０にて設定された情報により決定される。
【００４１】
ステープラ３４０は中間スタッカ３６０に積載された用紙Ｐ、および、挿入シートＰ２の束を、針で綴じる綴じ手段である。綴じ枚数、綴じ位置（例えば、縦辺部を綴じる、あるいは横辺部を綴じる等）、および綴じ数等の処理条件は、画像形成装置Ａの操作表示手段８、もしくは後処理装置Ｆの操作表示手段３７０にて設定された条件により決定される。綴じ処理終了後の用紙Ｐ、および、挿入シートＰ２は、中間スタッカ３６０により押し上げられ、端部が排紙ローラ９７に挟持された後、排紙トレイ３９１上に排紙される。
【００４２】
折り畳み手段３５０は、中間スタッカ３６０に堆積された用紙Ｐ、および、挿入シートＰ２に折り畳み処理を施して、搬送ベルトにより排紙トレイ３９２に排出する。
【００４３】
後処理装置Ｆには、上述の説明にあるように、目的別に用紙類を載置する複数の載置手段が設けられている。
【００４４】
シート載置台３１０、３１１は画像形成装置Ａから排紙された用紙Ｐに付加するために準備された挿入シートＰ２、あるいは、画像処理装置Ａとはオフラインの状態で単独に後処理装置Ｆを使用する場合に、各種シートを載置する載置手段である。本例においては、後処理装置Ｆは２個のシート載置台を持つが、１個、あるいは３個以上の複数のシート載置台を設けても良い。
【００４５】
排紙トレイ３９０は画像形成装置Ａから排紙されて、後処理装置Ｆによって処理された用紙Ｐ、および、シート載置台３１０、３１１から給紙されて、処理された挿入シートＰ２を受ける小容量の載置手段である。
【００４６】
排紙トレイ３９１はシフト手段３３０、またはステープラ３４０により処理されて排紙された用紙Ｐ、および挿入シートＰ２を受ける大容量の載置手段であり、排紙トレイ３９２は折り畳み手段３５０により折り畳み処理された用紙Ｐ、および、挿入シートＰ２を受ける載置手段である。
【００４７】
図２は、画像形成装置Ａ、および周辺装置の制御関係を示すブロック図である。なお、本発明の説明に関係しないブロックについては図中への記載を省略してある。
【００４８】
画像形成装置Ａの制御手段Ｃ１は、ＣＰＵを中心に、メモリＭ、画像処理用チップ、入出力インターフェイス、駆動回路等からなるコンピュータシステムである。制御手段Ｃ１による各手段の制御は、メモリＭに格納されている当該のプログラムが実行されることにより行われる。周辺装置である自動原稿送り装置ＡＤＦ、後処理装置ＦＩＮ、大容量給紙トレイＬＣＴの制御手段Ｃ２、Ｃ３、Ｃ４も、規模は小さいが同様に構成され、制御手段Ｃ１とは通信手段Ｔ２、Ｔ３、Ｔ４により接続されている。また、通信手段Ｔ１は、外部の情報処理機器と画像形成装置Ａとを結ぶもので、これにより複数の情報処理機器から画像情報を伝送して、画像形成装置Ａにコピーを出力することができる。
【００４９】
図１、及び図２を基に説明したように、本画像形成システムは、多機能を有する高速の画像形成システムであり、ユーザは画像形成装置Ａの操作表示手段８を用いて、予め、目的とする複数のジョブを設定することができる。
【００５０】
図３は、電源装置Ｄの電力供給路、及び、制御関係とを示すブロック図である。
プラグＤ０が、商用電源を供給するコンセントに差し込まれ、画像形成装置Ａの第１の電源スイッチＤ１が閉（オン）になることにより、電源装置Ｄの電源変換手段Ｄ２には、電力が供給される。電源変換手段Ｄ２は、商用電源から供給される電力に電圧変換、交直流変換、定電圧化等の処理を施して、画像形成装置Ａが備える各手段の電気的負荷に、所定の仕様の電力を供給する。
【００５１】
電力供給路は、図で示すようにａ、ｂ、ｃに大別される。電力供給路ａ、ｂは前記第１の電源スイッチＤ１がオンになると、制御手段Ｃ１、及び、電源制御手段Ｄ３に電力供給を開始する供給路となる。一方、電力供給路ｃは、各手段に所定の仕様の電力を供給するための複数の電力供給路で、前記第１の電源スイッチＤ１がオンになり、且つ、電源制御手段Ｄ３から電源オンの信号が出力された場合に、各手段に電力が供給されるように構成されている。
【００５２】
第１の電源スイッチＤ１がオンになり、次いで、第２の電源スイッチＤ４が、オンになると、制御手段Ｃ１により第２の電源スイッチＤ４が、オン状態になったことが検知される。検知情報を得た制御手段Ｃ１は、電源制御手段Ｄ３に電源オンの信号を出力する。電源オンの信号を得た電源変換手段Ｄ２は、各手段への電力供給を開始するように電源変換手段Ｄ２に電源オンの信号を出力する。
【００５３】
制御手段Ｃ１は、電力が供給されることによって動作可能状態になった各手段に、所定の動作を実行させるための初期設定情報を送る。画像形成作業を行うための準備が整うと画像形成装置Ａの操作表示手段には、使用可能の表示と、ユーザが画像形成作業に際して入力するジョブ予約情報を受け付けるための表示が出力される。
【００５４】
図４（ａ）は、設定されている予約ジョブの表示画面を示す図である、また、図４（ｂ）は、保留ジョブの表示画面を示す図である。
【００５５】
操作表示手段８のタッチパネルには、図４（ａ）のように、予約されたジョブが、実行される順番に並べられている。これらのジョブの中から指定するジョブを保留する場合には、まず、タッチパネル上に表示されている保留するジョブの表示画像位置にタッチしてジョブを指定し、次いで、右側に表示されている保留ボタンを押す。
【００５６】
以上の操作により、指定されたジョブは、予約ジョブを順次保存している予約ジョブファイルから、保留ジョブを順次保存する保留ジョブファイルに移され、操作表示手段８には、図（ｂ）のような保留ジョブのキューが表示される。なお、保留されたジョブを、再度、予約ジョブとして予約ジョブファイルに登録する場合には、保留解除するジョブを指定して、右側の保留解除ボタンを押す。
【００５７】
複数のユーザは、以上説明したような画像形成システムに、複数のジョブを予約して、画像形成システムは予約された複数の前記ジョブを逐次実行する。しかしながら、予約されたジョブが全て処理されると、予約したジョブを全て終え、しばらくの間は、処理すべきジョブがないと判断したユーザは、保留されているジョブがあるにもかかわらず、操作表示手段の近傍にある第２の電源スイッチＤ４をオフにする場合がある。
【００５８】
このような場合、保留ジョブファイルが初期状態に戻ってしまい、保留されたジョブを実行するための新たな予約設定が必要になる、あるいは、再度、第２の電源スイッチＤ４を入れて、システムを立ち上げなければならないという不都合が生ずることがある。
【００５９】
本発明は、このような不都合を回避するためになされたもので、操作手段８を用いて、ユーザに注意を喚起し、必要な動作を指示する制御手段を有する画像形成装置Ａを提供ものである。
【００６０】
図５は、第２の電源スイッチＤ４がオフとなった時の制御の流れを示すフローチャートである。
【００６１】
ユーザにより第２の電源スイッチＤ４がオフにされると（ステップＳ１：Ｙ）、保留ジョブを順番に格納している保留ジョブファイルが参照され、保留されているジョブがあるか否かの確認がなされる（ステップＳ２）。もし、保留されているジョブが無い場合には（ステップＳ２：Ｎ）、制御手段Ｃ１から電源制御手段Ｄ３に電源オフの指示情報が出される（ステップＳ９）。前記指示情報を受けた電源制御手段Ｄ３は、電源変換手段Ｄ２から各負荷への電力供給を制御手段Ｃ１を除きオフとする。
【００６２】
もし、保留されているジョブがあることが確認された場合には（ステップＳ２：Ｙ）、
電源制御手段Ｄ３に電源オンの指示情報が出され、電源変換手段Ｄ２から各負荷への電力供給は引き続きオン状態を維持する（ステップＳ３）。
【００６３】
また、操作表示手段８の表示画面には、保留されているジョブがあることをユーザに知らせる表示が出力される。また同時に、前記表示画面には、ユーザに、「保留されているジョブを実行せずに、電源変換手段Ｄ２から各負荷への電力供給をオフとする」か、あるいは、「再度、第２の電源スイッチＤ４をオンとして、このジョブを実行させる」かの選択を促す表示も出力される（ステップＳ４）。
【００６４】
ユーザが、「保留されているジョブを実行せずに、電源変換手段Ｄ２から各負荷への電力供給をオフとする」を選択するために操作表示手段８のタッチパネルの所定位置を押した場合には（ステップＳ５：Ｙ）、この情報を確認した制御手段Ｃ１は、電源制御手段Ｄ３に電源オフの指示情報を送る（ステップＳ９）。もし、「再度、第２の電源スイッチＤ４をオンとして、このジョブを実行させる」を選択した場合には、「オフとされた第２の電源スイッチＤ４を再度オンにせよ」とのメッセージが操作表示手段８に表示される（ステップＳ６）。
【００６５】
ユーザにより、第２の電源スイッチＤ４がオンにされると（ステップＳ７：Ｙ）、スイッチの切換が確認され、操作表示手段８の表示画面は、第２の電源スイッチＤ４がオフにされる以前の状態に復帰する（ステップＳ８）。ユーザは、保留されているジョブを保留ジョブファイルを予約ジョブファイルに移し、これを実行させることができる。
【００６６】
以上の様に制御することにより、実行すべき保留ジョブを残したまま画像形成装置の電源スイッチがオフとしてしまう不都合が防止される。
【図面の簡単な説明】
【００６７】
【図１】画像形成装置と周辺装置とから構成される画像形成システムの概念図である。
【図２】画像形成装置、及び、周辺装置の制御関係を示すブロック図である。
【図３】電源装置の電力供給路、及び、制御関係を示すブロック図である。
【図４】表示画面を示す図である。
【図５】第２の電源スイッチがオフとなった時の制御の流れを示すフローチャートである。
【符号の説明】
【００６８】
１  原稿読み取り手段
２  画像書き込み手段
３  画像形成手段
４  定着手段
５  反転手段
６  再給紙手段
７  給紙手段
８  操作表示手段
Ａ  画像形成装置
Ｃ１  制御手段（画像形成装置）
Ｄ  電源装置
Ｄ１  第１の電源スイッチ
Ｄ２  電源変換手段
Ｄ３  電源制御手段
Ｄ４  第２の電源スイッチ
Ｍ  メモリ
Ｔ１、Ｔ２、Ｔ３、Ｔ４  通信手段
ＡＤＦ  自動原稿送り装置
ＦＩＮ  後処理装置
ＬＣＴ  大容量給紙トレイ
【図１】
2006142551.tif 000003
【図２】
2006142551.tif 000004
【図３】
2006142551.tif 000005
【図４】
2006142551.tif 000006
【図５】
2006142551.tif 000007